(57)【要約】      （修正有）【課題】固定効果が安定であり、信頼性があり、印刷性能及び印刷品質がよく、使用寿命が長いインクカートリッジを提供する。【解決手段】インクカートリッジの前端に可動フック装置１が設置され、可動フック装置１が可動本体２及びプリンタインクカートリッジキャリッジに掛かるためのフック３を含み、可動本体２が前へ引かれて、自動にリセットしてインクカートリッジの前端に取り付けられ、フック３が可動本体２に設置され、インクカートリッジ前端の外までに前へ延伸する。具体的な構成は、インクカートリッジの前端の上表面にスライド溝４が設置され、可動本体２が前に引かれるようにスライド溝４内に取り付けられ、その底部にリセットスプリングが設置され、リセットスプリングの両端がそれぞれ可動本体２およびスライド溝４の側壁に当接する。【選択図】図１
0003208245.tif 000002
【実用新案登録請求の範囲】
【請求項１】
インクカートリッジであって、
インクカートリッジの前端に可動フック装置（１）が設置され、前記可動フック装置（１）が可動本体（２）及びプリンタインクカートリッジキャリッジに掛かるためのフック（３）を含み、前記可動本体（２）が前へ引かれて、自動にリセットしてインクカートリッジの前端に取り付けられ、前記フック（３）が可動本体（２）に設置され、インクカートリッジ前端の外までに前へ延伸することを特徴とするインクカートリッジ。
【請求項２】
インクカートリッジの前端の上表面にスライド溝（４）が設置され、前記可動本体（２）が前に引かれるようにスライド溝（４）内に取り付けられ、その底部にリセットスプリング（５）が設置され、前記リセットスプリング（５）の両端がそれぞれ可動本体（２）およびスライド溝（４）の側壁に当接する
ことを特徴とする請求項１に記載のインクカートリッジ。
【請求項３】
前記スライド溝（４）の左右両側には摺動案内規制穴（４１）が設置され、前記可動本体（２）の左右両側には摺動係止脚（２１）が設置され、前記可動本体（２）がスライド溝（４）に設置される時、前記摺動係止脚（２１）が移動可能に摺動案内規制穴（４１）内に係止される
ことを特徴とする請求項２に記載のインクカートリッジ。
【請求項４】
前記可動本体（２）の上表面に前引き操作凹所（２２）が設置され、前記前引き操作凹所（２２）において前記可動本体（２）に接近する表面に滑り止め紋様（２３）が設置される
ことを特徴とする請求項３に記載のインクカートリッジ。
【請求項５】
前記摺動係止脚（２１）、前引き操作凹所（２２）及び滑り止め紋様（２３）が可動本体（２）と一体成型する
ことを特徴とする請求項４に記載のインクカートリッジ。
【請求項６】
前記フック（３）が可動本体（２）の前端に設置され、インクカートリッジ前端の外までに水平方向において前へ延伸した後、垂直方向において湾曲し、末端に釣りフック（３１）が設置される
ことを特徴とする請求項１〜５のいずれか１項に記載のインクカートリッジ。
【請求項７】
前記フック（３）および釣りフック（３１）が可動本体（２）と一体成型する
ことを特徴とする請求項６に記載のインクカートリッジ。
【考案の詳細な説明】
【技術分野】
【０００１】
本考案はインクカートリッジ技術分野に関し、特に、インクカートリッジに関する。
【背景技術】
【０００２】
現在、市場においてのインクカートリッジは、通常、インクカートリッジ前端下端面に係止座を設置してプリンタのインクカートリッジキャリッジにおけるスプリング係止部品と固定するが、係止座の加工精度要求が高く、製造難易度が難しいため、スプリング係止部品とのマッチングが要求を満たさなく、長期間に使用すると、緩みやすく、外しやすく、印刷は、信頼性がなく、効果が悪く、それとともに、プリントヘッドで固定するので、プリントヘッドの破壊を招きやすく、使用寿命を大いに短縮させる。
【考案の概要】
【考案が解決しようとする課題】
【０００３】
従来の技術に存在する上記技術問題を解決するために、本考案は、インクカートリッジキャリッジに強固に取り付けられ、固定効果が安定であり、信頼性があり、印刷性能及び印刷品質がよく、使用寿命が長いインクカートリッジを提供することにある。
【課題を解決するための手段】
【０００４】
上述した技術問題を解決するために、本考案は以下のような技術方案を採用する。
【０００５】
インクカートリッジであって、その前端に可動フック装置が設置され、前記可動フック装置が可動本体及びプリンタインクカートリッジキャリッジに掛かるためのフックを含み、前記可動本体が前へ引かれて、自動にリセットしてインクカートリッジの前端に取り付けられ、前記フックが可動本体に設置され、インクカートリッジ前端の外までに前へ延伸するインクカートリッジ。
【０００６】
さらに、インクカートリッジの前端の上表面にスライド溝が設置され、前記可動本体が前に引かれるようにスライド溝内に取り付けられ、その底部にリセットスプリングが設置され、前記リセットスプリングの両端がそれぞれ可動本体およびスライド溝の側壁に当接する。
【０００７】
さらに、前記スライド溝の左右両側には摺動案内規制穴が設置され、前記可動本体の左右両側には摺動係止脚が設置され、前記可動本体がスライド溝に設置される時、前記摺動係止脚が移動可能に摺動案内規制穴内に係止される。
【０００８】
さらに、前記可動本体の上表面に前引き操作凹所が設置され、前記前引き操作凹所において前記可動本体に接近する表面に滑り止め紋様が設置される。
【０００９】
さらに、前記摺動係止脚、前引き操作凹所及び滑り止め紋様が可動本体と一体成型する。
【００１０】
さらに、前記フックが可動本体の前端に設置され、インクカートリッジ前端の外までに水平方向において前へ延伸した後、垂直方向において湾曲し、末端に釣りフックが設置される。
【００１１】
さらに、前記フックおよび釣りフックが可動本体と一体成型する。
【考案の効果】
【００１２】
本考案の有益な効果は下記のとおりである。
【００１３】
本考案は、上記技術方案によれば、可動フック装置によりインクカートリッジキャリッジに強固に取り付けられ、固定効果が安定であり、信頼性があり、伝統的なインクカートリッジの使用過程において緩みやすいことによる印刷または印刷品質低下の問題を解決し、それとともに、プリントヘッドで固定することによるプリントヘッドの破壊の問題を回避し、使用寿命を効果的に延長させる。
【図面の簡単な説明】
【００１４】
以下、図面及び具体的な実施例を合わせて、本考案を詳細に説明する。
【図１】本考案にかかるインクカートリッジ実施例の構成を示す図である。
【図２】本考案にかかるインクカートリッジ実施例においてトナー充填ポンプ装置の構成を示す図である。
【考案を実施するための形態】
【００１５】
本考案の目的、技術方案及びメリットをさらに明瞭にするために、以下、図面及び実施例を合わせて、本考案を詳細に説明する。ここに記載の具体的な実施例はただ本考案を解釈するためのものであり、本考案を限定するものではないことを承知されたい。
【００１６】
図１〜図２を参照する。
【００１７】
本考案の実施例に記載されるインクカートリッジは、その前端に可動フック装置１が設置され、前記可動フック装置１が可動本体２及びプリンタのインクカートリッジのキャリッジに引っ掛かるためのフック３を含み、前記可動本体２が前へ引かれて自動的にリセットするようにインクカートリッジの前端に取り付けられ、前記フック３が可動本体２に設置され、インクカートリッジ前端外までに前へ延伸する。具体的な構成は、前記インクカートリッジ前端上表面にスライド溝４が設置され、前記可動本体２が前へ引かれるようにスライド溝４内に取り付けられ、図１に示すように、前記スライド溝４の左右両側に摺動案内規制穴４１が設置され、前記可動本体２の左右両側に摺動係止脚２１が設置され、前記可動本体２がスライド溝４に設置される時に、前記摺動係止脚２１が移動可能に摺動案内規制穴４１内に係止される。なお、可動本体２底部にリセットスプリング５が設置され、前記リセットスプリング５の両端がそれぞれ可動本体２及びスライド溝４の側壁に当接する。前記フック３が可動本体２の前端に設置され、水平方向においてインクカートリッジ前端外までに前へ延伸した後、垂直にして下へ湾曲し、末端に釣りフック３１が設置され、前記フック３及び釣りフック３１が可動本体２と一体成型（例えば、一体射出成型）する。
【００１８】
本考案に記載されるインクカートリッジを用いる時、まず、その後端をプリンタのインクカートリッジキャリッジ内に入れ、そして、インクカートリッジ前端を下へ押し、前端がインクカートリッジキャリッジのエッジに接近する時、可動フック装置１（可動本体２）を前へ引き、フック３を前へ移動させ、インクカートリッジキャリッジのエッジを避け、最後に、可動フック装置１を外し、可動本体２が自動にリセットし、フック３を連れてインクカートリッジキャリッジに掛ける。
【００１９】
このようにして、本考案のインクカートリッジは、可動フック装置１によりインクカートリッジキャリッジに強固に取り付けられ、固定効果が安定であり、信頼性があり、伝統的なインクカートリッジの使用過程において緩みやすいことによる印刷または印刷品質低下の問題を解決し、それとともに、プリントヘッドで固定することによるプリントヘッドの破壊の問題を回避し、使用寿命を効果的に延長させる。
【００２０】
また、前記可動本体２の上表面に前引き操作凹所２２が設置され、前記可動本体２に近接する表面に滑り止め紋様２３が設置され、前記摺動係止脚２１、前引き操作凹所２２及び滑り止め紋様２３が可動本体２と一体成型（例えば、一体射出成型）する。このインクカートリッジを装着して使用する時、指で可動本体２の前引き操作凹所２２をかけて可動本体２を前へ引き、フック３を前へ移動させ、インクカートリッジキャリッジのエッジを避け、操作がより利便、より簡単、より楽である。
【００２１】
以上は本考案の好ましい実施形態であり、当業者にとって、本考案原理から逸脱しない場合いに、様々な改進や修飾を行ってもよく、これらの改進や修飾も本考案の保護範囲に含まれる。
【図１】
0003208245.tif 000003
【図２】
0003208245.tif 000004